(57)【特許請求の範囲】
【請求項１】
第１の単位セル及び第２の単位セルを含む回折格子図柄と、
第１のブロックと第２のブロックを有する第１の機械読取情報と、
第３のブロックと第４のブロックを有する第２の機械読取情報と、
を重ねたデータに基づいて作製され、
前記第１のブロックと前記第３のブロックとが重なった部分に作製される第１合成ブロックと、
前記第１のブロックと前記第４のブロックとが重なった部分に作製される第２合成ブロックと、
前記第２のブロックと前記第３のブロックとが重なった部分に作製される第３合成ブロックと、
前記第２のブロックと前記第４のブロックとが重なった部分に作製される第４合成ブロックと、
を有し、
前記第１合成ブロックと前記第１の単位セルが重なった部分に作製される第１の単位領域と、
前記第１合成ブロックと前記第２の単位セルが重なった部分に作製される第２の単位領域と、
前記第２合成ブロックと前記第１の単位セルが重なった部分に作製される第３の単位領域と、
前記第２合成ブロックと前記第２の単位セルが重なった部分に作製される第４の単位領域と、
前記第３合成ブロックと前記第１の単位セルが重なった部分に作製される第５の単位領域と、
前記第３合成ブロックと前記第２の単位セルが重なった部分に作製される第６の単位領域と、
前記第４合成ブロックと前記第１の単位セルが重なった部分に作製される第７の単位領域と、
前記第４合成ブロックと前記第２の単位セルが重なった部分に作製される第８の単位領域と、
が形成され、
前記各単位領域は、それぞれ異なる光回折構造を有する
ことを特徴とする回折格子記録媒体。
【請求項２】
前記各単位領域は、格子角度又は格子ピッチのうち少なくとも１つがそれぞれ異なる
ことを特徴とする請求項１に記載の回折格子記録媒体。
【請求項３】
前記各ブロックと前記各単位領域の大きさは、同じである
ことを特徴とする請求項１又は２に記載の回折格子記録媒体。
【発明の詳細な説明】
【技術分野】
【０００１】
本発明は、通常の目視では判別が困難な機械読取情報を隠し、専用の読取機でのみ読み取り可能な回折格子記録媒体に関するものである。
【背景技術】
【０００２】
従来から、キャッシュカード、クレジットカード、小切手カード等のカード類、金券類、身分証明書、重要書類等のような認証とともに偽造防止を必要とする物品に対して、各種の偽造防止手段が図られている。例えば、クレジットカードにおいては、金属反射層を有するレリーフホログラムからなるレインボーホログラムが、目視によるカードの真贋判定のための認証構造としてカードの表面に設けられている。このようなホログラムの記録装置が特許文献１に開示されている。
【先行技術文献】
【特許文献】
【０００３】
【特許文献１】特公昭６０−３０９４８号公報
【特許文献２】特許第３３０６１３５号公報
【特許文献３】特開２００４−２１２９２７号公報
【非特許文献１】電子透かし技術に関する調査報告書、社団法人電子情報技術産業協会編（２００１．３）
【発明の概要】
【発明が解決しようとする課題】
【０００４】
しかしながら、特許文献１に記載された技術では、個別情報を記録する場合、記録した情報がホログラムの絵柄を邪魔してしまいデザイン性を損なう場合があった。そして、絵柄を邪魔しないようにする場合には、個別情報を印字するための専用領域を設ける必要があり、ホログラムのサイズが大きくなるという課題があった。また、ホログラムの絵柄を邪魔しない方法としてＵＶやＩＲ発光のインクを用いて記録する方法もあるが、目視にて記録情報を確認不可能にするためには、記録方法や材料の選定が必要であり、コストも高くなるという問題があった。さらに、絵柄に対して情報の位置を合わせる必要があり生産性が悪かった。
【０００５】
そこで、特許文献２に記載されているように、ホログラムに記録されたバーコード等の情報を機械的に読み取る技術が考えられている。また、特許文献３には、ホログラム絵柄上に万線によるパターン情報を隠し込み、専用の万線フィルムで観察した場合のみに隠し情報が現れる技術が開示されている。
【０００６】
本発明は、従来技術よりも偽造防止性がさらに高く、セキュリティ的にも信頼性がさらに高い回折格子記録媒体を提供することである。
【課題を解決するための手段】
【０００７】
上記目的を達成する本発明にかかる回折格子記録媒体は、
第１の単位セル及び第２の単位セルを含む回折格子図柄と、
第１のブロックと第２のブロックを有する第１の機械読取情報と、
第３のブロックと第４のブロックを有する第２の機械読取情報と、
を重ねたデータに基づいて作製され、
前記第１のブロックと前記第３のブロックとが重なった部分に作製される第１合成ブロックと、
前記第１のブロックと前記第４のブロックとが重なった部分に作製される第２合成ブロックと、
前記第２のブロックと前記第３のブロックとが重なった部分に作製される第３合成ブロックと、
前記第２のブロックと前記第４のブロックとが重なった部分に作製される第４合成ブロックと、
を有し、
前記第１の合成ブロックと前記第１の単位セルが重なった部分に作製される第１の単位領域と、
前記第１の合成ブロックと前記第２の単位セルが重なった部分に作製される第２の単位領域と、
前記第２の合成ブロックと前記第１の単位セルが重なった部分に作製される第３の単位領域と、
前記第２の合成ブロックと前記第２の単位セルが重なった部分に作製される第４の光回折構造を有する第４の単位領域と、
前記第３の合成ブロックと前記第１の単位セルが重なった部分に作製される第５の光回折構造を有する第５の単位領域と、
前記第３の合成ブロックと前記第２の単位セルが重なった部分に作製される第６の光回折構造を有する第６の単位領域と、
前記第４の合成ブロックと前記第１の単位セルが重なった部分に作製される第７の光回折構造を有する第７の単位領域と、
前記第４の合成ブロックと前記第２の単位セルが重なった部分に作製される第８の光回折構造を有する第８の単位領域と、
を備え、
前記各単位領域は、それぞれ異なる光回折構造を有する
ことを特徴とする。
【０００８】
また、本発明にかかる回折格子記録媒体は、
前記各単位領域は、格子角度又は格子ピッチのうち少なくとも１つがそれぞれ異なる
ことを特徴とする請求項１に記載の回折格子記録媒体。
【０００９】
また、本発明にかかる回折格子記録媒体は、
前記各ブロックと前記各単位領域の大きさは、同じである
ことを特徴とする請求項１又は２に記載の回折格子記録媒体。
【発明の効果】
【００１２】
本発明によれば、従来技術よりも偽造防止性がさらに高く、セキュリティ的にも信頼性がさらに高い回折格子記録媒体を提供することが可能となる。
【図面の簡単な説明】
【００１３】
【図１】第１実施形態の回折格子図柄を示す図である。
【図２】第１実施形態の回折格子図柄の各部分の単位セルを示す図である。
【図３】第１実施形態の電子透かし情報を示す図である。
【図４】第１実施形態の回折格子図柄に電子透かし情報を隠し込んだ回折格子記録媒体を示す図である。
【図５】第１実施形態の回折格子図柄と電子透かし情報の第１のブロックが重なっている第１の記録部分の１つの単位領域を示す図である。
【図６】第１実施形態の回折格子図柄と電子透かし情報の第２のブロックが重なっている第２の記録部分の１つの単位領域を示す図である。
【図７】第１実施形態の回折格子記録媒体の読み取り方法を示した図である。
【図８】第１実施形態の電子透かし情報の他の実施例を示す図である。
【図９】第２実施形態の電子透かし情報を示す図である。
【図１０】第２実施形態の回折格子図柄に電子透かし情報を隠し込んだ回折格子記録媒体のデータを示す図である。
【図１１】第１の記録部分、第２の記録部分、及び第３の記録部分のそれぞれ１つの単位領域を示す図である。
【図１２】第４の記録部分、第５の記録部分、及び第６の記録部分のそれぞれ１つの単位領域を示す図である。
【図１３】第２実施形態の回折格子記録媒体の読み取り方法を示した図である。
【図１４】第２実施形態の電子透かし情報の他の実施例を示す図である。
【図１５】第３実施形態の電子透かし情報を示す図である。
【図１６】第３実施形態の電子透かし情報を示す図である。
【図１７】第３実施形態の合成電子透かし情報を示す図である。
【図１８】第３実施形態の回折格子図柄に電子透かし情報を隠し込んだ回折格子記録媒体のデータを示す図である。
【図１９】第３実施形態の回折格子記録媒体の読み取り方法を示した図である。
【発明を実施するための形態】
【００１４】
以下、図面を参照にして本発明にかかる回折格子記録媒体について説明する。
【００１５】
図１は、第１実施形態の回折格子図柄１を示す図である。
【００１６】
第１実施形態の回折格子図柄１は、コンピュータ上で電子情報として作製される図柄であって、第１の図柄部分１１と、第２の図柄部分１２と、第３の図柄部分１３とを有する。第１の図柄部分１１と、第２の図柄部分１２と、第３の図柄部分１３とは、それぞれ異なる格子角度を有する。
【００１７】
図２は、第１実施形態の回折格子図柄１の各部分の単位セルを示す図である。図２（ａ）は、第１の図柄部分１１の第１の単位セル１１ａを示している。第１の図柄部分１１の第１の単位セル１１ａは、格子ピッチ１．０μｍ、格子角度０°で形成されている。図２（ｂ）は、第２の図柄部分１２の第２の単位セル１２ａを示している。第２の図柄部分１２の第２の単位セル１２ａは、格子ピッチ１．０μｍ、格子角度４５°で形成されている。図２（ｃ）は、第３の図柄部分１３の第３の単位セル１３ａを示している。第３の図柄部分１３の第３の単位セル１３ａは、格子ピッチ１．０μｍ、格子角度９０°で形成されている。なお、回折格子図柄１は、第１実施形態で、第１の図柄部分１１と、第２の図柄部分１２と、第３の図柄部分１３との３種類の部分を有するが、第１の図柄部分１１と、第２の図柄部分１２と、の少なくとも２種類の部分を有すればよい。
【００１８】
図３は、第１実施形態の電子透かし情報２を示す図である。
【００１９】
第１実施形態の機械読み取り情報としての電子透かし情報２は、回折格子図柄１の各単位セルの約２０〜５０倍程度の大きさのブロック２１，２２を１単位領域として、第１のブロック２１又は第２のブロック２２をランダムに散りばめたコンピュータ等で作製する電子情報である。
【００２０】
ここで、電子透かし情報とは、回折格子図柄１に対して、回折格子図柄１の特徴を損なわないように埋め込む、視認可能な回折格子図柄１とは別の情報をいう（非特許文献１参照）。また、電子透かし情報としては所定のアルゴリズムによる繰り返しパターン情報が好ましい。
【００２１】
図４は、第１実施形態の回折格子図柄１に電子透かし情報２を隠し込んだ回折格子記録媒体３のデータを示す図である。
【００２２】
回折格子記録媒体３のデータは、図１に示した回折格子図柄１と図３に示した電子透かし情報２の第１のブロック２１が重なっている第１の記録部分３１と、図１に示した回折格子図柄１と図３に示した電子透かし情報２の第２のブロック２２が重なっている第２の記録部分３２と、を有する。
【００２３】
図５は、第１実施形態の回折格子図柄１と電子透かし情報２の第１のブロック２１が重なっている第１の記録部分３１を示す図である。
【００２４】
第１実施形態では、図２に示した回折格子図柄１の第１の図柄部分１１の第１の単位セル１１ａ、第２の図柄部分１２の第２の単位セル１２ａ、及び第３の図柄部分１３の第３の単位セル１３ａのそれぞれに対して、図３に示した電子透かし情報２の第１のブロック２１は、約２０〜５０倍程度の大きさとなっている。
【００２５】
したがって、第１のブロック２１に対応する第１の記録部分３１は、第１の図柄部分１１の第１の単位セル１１ａに対応する第１の単位領域３１ａ、第２の図柄部分１２の第２の単位セル１２ａに対応する第２の単位領域３１ｂ、及び第３の図柄部分１３の第３の単位セル１３ａに対応する第３の単位領域３１ｃをあわせて数百個程度有する。
【００２６】
図５に示した第１の記録部分３１は、第１の単位領域３１ａ、第２の単位領域３１ｂ、及び第３の単位領域３１ｃを有する。なお、一つの第１の記録部分３１の中には、第１の単位領域３１ａ、第２の単位領域３１ｂ、又は第３の単位領域３１ｃのすべての種類を有する必要はなく、一つの第１の記録部分３１の中に、各領域の内、少なくとも一つを含んでいればよい。
【００２７】
図６は、第１実施形態の回折格子図柄１と電子透かし情報２の第２のブロック２２が重なっている第２の記録部分３２を示す図である。
【００２８】
第１実施形態では、図２に示した回折格子図柄１の第１の図柄部分１１の第１の単位セル１１ａ、第２の図柄部分１２の第２の単位セル１２ａ、及び第３の図柄部分１３の第３の単位セル１３ａのそれぞれに対して、図３に示した電子透かし情報２の第２のブロック２２の１単位領域は、約２０〜５０倍程度の大きさとなっている。
【００２９】
したがって、１単位の第２のブロック２２に対応する第２の記録部分３２は、第１の図柄部分１１の単位セル１１ａに対応する第４の単位領域３２ａ、第２の図柄部分１２の単位セル１２ａに対応する第５の単位領域３２ｂ、及び第３の図柄部分１３の単位セル１３ａに対応する第６の単位領域３２ｃをあわせて数百個程度有する。
【００３０】
図６に示した第２の記録部分３２は、第１の変換単位領域３２ａ、第２の変換単位領域３２ｂ、及び第３の変換単位領域３２ｃを有する。なお、一つの第２の記録部分３２の中には、第１の変換単位領域３２ａ、第１の変換単位領域３２ｂ、又は第３の変換単位領域３２ｃのすべての種類を有する必要はなく、一つの第２の記録部分３２の中に、各領域の内、少なくとも一つを含んでいればよい。
【００３１】
なお、第１実施形態では、回折格子図柄１と電子透かし情報２の第２のブロック２２が重なった第２の記録部分３２の場合には、回折格子図柄１と電子透かし情報２の第１のブロック２１が重なった第１の記録部分３１の場合と比較して、格子ピッチは同じで、格子角度を異ならせるように設定した。
【００３２】
例えば、図５に示した第１の単位領域３１ａの格子角度を０°、格子ピッチを１．０μｍとした場合、図６に示した第１の変換単位領域３２ａの格子角度を５°、格子ピッチを１．０μｍとする。同様に、図５に示した第２の単位領域３１ｂの格子角度を４５°、格子ピッチを１．０μｍとした場合、図６に示した第２の変換単位領域３２ｂの格子角度を５０°、格子ピッチを１．０μｍとする。また、図５に示した第３の単位領域３１ｃの格子角度を９０°、格子ピッチを１．０μｍとした場合、図６に示した第３の変換単位領域３２ｃの格子角度を９５°、格子ピッチを１．０μｍとする。
【００３３】
回折格子記録媒体３は、図４〜図６に示したように、コンピュータ等で回折格子図柄１に電子透かし情報２を隠し込んだデータを演算し、該データを元に作製されるホログラム等である。
【００３４】
ここで、回折格子記録媒体３に凹凸レリーフ構造の回折格子をエンボスするための回折格子原版の作製方法の一例を簡単に説明する。まず、Ｃｒメッキされたガラス板を用意し、その上に電子線レジストを塗布し、電子線描画により、回折格子パターンを描画し、その後に電子線レジストを現像する。すると、断面矩形波状の凹凸レリーフ構造が得られる。
【００３５】
そして、電子線レジストの凹凸レリーフ構造の回折格子パターン上に紫外線硬化性樹脂を塗布して紫外線照射する。あるいは、電子線レジストの凹凸レリーフ構造の回折格子パターン上に熱硬化性樹脂を塗布して加熱する。
【００３６】
その凹凸レリーフ構造を紫外線硬化性樹脂あるいは熱硬化性樹脂に複製することにより、電子線描画の回折格子パターンのネガ版が得られる。そのネガ版から同様に複製してポジ版を得るか、あるいは、このような複製を偶数回繰り返すことにより得られたポジ版を、上記の回折格子記録媒体３に凹凸レリーフ構造の回折格子をエンボスするための回折格子原版として用いることができる。
【００３７】
図７は、回折格子記録媒体３の読み取り方法を示した図である。図７（ａ）は電子透かし情報２を隠し込んだ回折格子記録媒体３を示す図、図７（ｂ）は回折格子記録媒体３に所定の照明をあてた状態を示す図、図７（ｃ）は電子透かし情報２を読み取り変換させた図である。
【００３８】
図７（ａ）に示したように、電子透かし情報２を隠し込んだ回折格子記録媒体３は、目視では、図柄のみが見えている。図７（ａ）に示した電子透かし情報２を隠し込んだ回折格子記録媒体３に所定の角度から照明を当てると、図７（ｂ）に示すように、電子透かし情報２が読み取り可能となる。この電子透かし情報２を専用の読み取り機械で読み取り、データ変換することにより、図７（ｃ）に示すように、隠し込んだ情報を得ることが可能となる。
【００３９】
次に、第１実施形態の電子透かし情報２の他の実施例について説明する。
【００４０】
図８は、第１実施形態の電子透かし情報２の他の実施例を示す図である。
【００４１】
図８に示した第２の記録部分３２は、第１の変換単位領域３２ａ、第２の変換単位領域３２ｂ、及び第３の変換単位領域３２ｃを有する。なお、第２の記録部分３２は、第１の変換単位領域３２ａ、第２の変換単位領域３２ｂ、又は第３の変換単位領域３２ｃのすべての種類を有する必要はなく、少なくとも一つ含めばよい。
【００４２】
この実施例では、回折格子図柄１と電子透かし情報２の第２のブロック２２が重なった第２の記録部分３２の場合には、回折格子図柄１と電子透かし情報２の第１のブロック２１が重なった第１の記録部分３１の場合と比較して、格子角度は同じで、格子ピッチを異ならせるように設定した。
【００４３】
例えば、図５に示した第１の単位領域３１ａの格子角度を０°、格子ピッチを１．０μｍとした場合、図８に示した第１の変換単位領域３２ａの格子角度を０°、格子ピッチを１．１μｍとする。同様に、図５に示した第２の単位領域３１ｂの格子角度を４５°、格子ピッチを１．０μｍとした場合、図６に示した第２の変換単位領域３２ｂの格子角度を４５°、格子ピッチを１．１μｍとする。また、図５に示した第３の単位領域３１ｃの格子角度を９０°、格子ピッチを１．０μｍとした場合、図６に示した第３の変換単位領域３２ｃの格子角度を９０°、格子ピッチを１．１μｍとする。
【００４４】
格子角度は同じで、格子ピッチを異ならせるように設定した場合、再生時に、図７（ａ）に示した電子透かし情報２を隠し込んだ回折格子記録媒体３に所定の波長の照明を当てると、図７（ｂ）に示すように、電子透かし情報２が読み取り可能となる。
【００４５】
なお、格子角度と格子ピッチの両方を異なるように設定してもよい。この場合には、再生時に、図７（ａ）に示した電子透かし情報２を隠し込んだ回折格子記録媒体３に所定の角度から所定の波長の照明を当てると、図７（ｂ）に示すように、電子透かし情報２が読み取り可能となる。
【００４６】
このように、第１実施形態の回折格子記録媒体３によれば、簡単な構造で目視による記録情報の確認を不可能にすることができ、従来技術よりも偽造防止性がさらに高く、セキュリティ的にも信頼性がさらに高い回折格子記録媒体３を提供することが可能となる。また、単位領域と変換単位領域は、それぞれ格子角度が異なるという簡単な構成で、回折格子図柄１の中に違和感を与えないで電子透かし情報２を隠し込み、回折格子記録媒体３を作製することが可能となる。さらに、単位領域と変換単位領域は、それぞれ格子ピッチが異なるという簡単な構成で、回折格子記録媒体３を作製することが可能となる。
【００４７】
次に第２実施形態について説明する。なお、回折格子図柄１は、第１実施形態と同様である。
【００４８】
図９は、第２実施形態の電子透かし情報４を示す図である。
【００４９】
第２実施形態の機械読み取り情報としての電子透かし情報４は、図２に示した回折格子図柄１の各セルの１〜３倍の大きさのブロック４１，４２を１単位領域として、第１のブロック４１又は第２のブロック４２をランダムに散りばめたコンピュータ等で作製する電子情報である。この実施例では、図２に示した回折格子図柄１の各セルと、第１のブロック４１及び第２のブロック４２の１単位領域を同じ大きさとした。
【００５０】
図１０は、回折格子図柄１に電子透かし情報４を隠し込んだ第２実施形態の回折格子記録媒体５のデータを示す図である。なお、図１０では、回折格子図柄１の第１の図柄部分１１、第２の図柄部分１２、及び第３の図柄部分１３のそれぞれの境界線が図９に示した電子透かし情報４の第１のブロック４１又は第２のブロック４２の面を横切る箇所が図面上に存在するが、現実には回折格子図柄１の第１の図柄部分１１、第２の図柄部分１２、及び第３の図柄部分１３のそれぞれの境界線は、電子透かし情報４の第１のブロック４１又は第２のブロック４２の境界線に含まれる。
【００５１】
回折格子記録媒体５のデータは、図１に示した回折格子図柄１の第１の図柄部分１１と図９に示した電子透かし情報４の第１のブロック４１が重なっている第１の単位領域５１と、図１に示した回折格子図柄１の第２の図柄部分１２と図９に示した電子透かし情報４の第１のブロック４１が重なっている第２の単位領域５２と、図１に示した回折格子図柄１の第３の図柄部分１３と図９に示した電子透かし情報４の第１のブロック４１が重なっている第３の単位領域５３と、を有する。
【００５２】
また、回折格子記録媒体５のデータは、図１に示した回折格子図柄１の第１の図柄部分１１と図９に示した電子透かし情報４の第２のブロック４２が重なっている第１の変換単位領域５４と、図１に示した回折格子図柄１の第２の図柄部分１２と図９に示した電子透かし情報４の第２のブロック４２が重なっている第２の変換単位領域５５と、図１に示した回折格子図柄１の第３の図柄部分１３と図９に示した電子透かし情報４の第２のブロック４２が重なっている第３の変換単位領域５６と、を有する。
【００５３】
図１１は、第１の単位領域５１、第２の単位領域５２、及び第３の単位領域５３のそれぞれ１つの単位領域を示す図である。
【００５４】
この実施例では、図２に示した回折格子図柄１の第１の図柄部分１１の１つの単位セル１１ａ、第２の図柄部分１２の１つの単位セル１２ａ、及び第３の図柄部分１３の１つの単位セル１３ａのそれぞれに対して、図９に示した電子透かし情報４の第１のブロック２１の１つの単位領域は、同じ大きさとなっている。
【００５５】
したがって、図２に示した第１の図柄部分１１の単位セル１１ａ、第２の図柄部分１２の単位セル１２ａ、及び第３の図柄部分１３の単位セル１３ａは、それぞれ図１１に示した第１の単位領域５１、第２の単位領域５２、及び第３の単位領域５３に対応する。
【００５６】
図１２は、第１の変換単位領域５４、第２の変換単位領域５５、及び第３の変換単位領域５６のそれぞれ１つの単位領域を示す図である。
【００５７】
この実施例では、図２に示した回折格子図柄１の第１の図柄部分１１の１つの単位セル１１ａ、第２の図柄部分１２の１つの単位セル１２ａ、及び第３の図柄部分１３の１つの単位セル１３ａのそれぞれに対して、図９に示した電子透かし情報４の第２のブロック４２の１つの単位領域は、同じ大きさとなっている。
【００５８】
したがって、図２に示した第１の図柄部分１１の単位セル１１ａ、第２の図柄部分１２の単位セル１２ａ、及び第３の図柄部分１３の単位セル１３ａは、それぞれ図１１に示した第１の変換単位領域５４、第２の変換単位領域５５、及び第３の変換単位領域５６に対応する。
【００５９】
なお、この実施例では、回折格子図柄１と電子透かし情報４の第２のブロック４２が重なった場合には、回折格子図柄１と電子透かし情報４の第１のブロック４１が重なった場合と比較して、格子ピッチは同じで、格子角度を異ならせるように設定した。
【００６０】
例えば、図１１に示した第１の単位領域５１の格子角度を０°、格子ピッチを１．０μｍとした場合、図１２に示した第１の変換単位領域５４の格子角度を５°、格子ピッチを１．０μｍとする。同様に、図１１に示した第２の単位領域５２の格子角度を４５°、格子ピッチを１．０μｍとした場合、図１２に示した第２の変換単位領域５５の格子角度を５０°、格子ピッチを１．０μｍとする。また、図１１に示した第３の単位領域５３の格子角度を９０°、格子ピッチを１．０μｍとした場合、図１２に示した第３の変換単位領域５６の格子角度を９５°、格子ピッチを１．０μｍとする。
【００６１】
回折格子記録媒体５は、図１０〜図１２に示したように、コンピュータ等で回折格子図柄１に電子透かし情報４を隠し込んだデータを演算し、該データを元に作製されるホログラム等である。
【００６２】
ここで、回折格子記録媒体５に凹凸レリーフ構造の回折格子をエンボスするための回折格子原版の作製方法は、第１実施形態と同様である。
【００６３】
図１３は、第２実施形態の回折格子記録媒体５の読み取り方法を示した図である。図１３（ａ）は電子透かし情報４を隠し込んだ回折格子記録媒体５を示す図、図１３（ｂ）は回折格子記録媒体５に所定の照明をあてた状態を示す図、図１３（ｃ）は電子透かし情報４を読み取り変換させた図である。
【００６４】
図１３（ａ）に示したように、電子透かし情報４を隠し込んだ回折格子記録媒体５は、目視では、図柄のみが見えている。図１３（ａ）に示した電子透かし情報４を隠し込んだ回折格子記録媒体５に所定の角度から照明を当てると、図１３（ｂ）に示すように、電子透かし情報４が読み取り可能となる。この電子透かし情報４を顕微鏡等で拡大して専用の読み取り機械で読み取り、データ変換することにより、図１３（ｃ）に示すように、隠し込んだ情報を得ることが可能となる。
【００６５】
次に、第２実施形態の他の実施例について説明する。
【００６６】
図１４は、第２実施形態の他の実施例を示す図である。
【００６７】
この実施例では、回折格子図柄１と電子透かし情報４の第２のブロック４２が重なった場合には、回折格子図柄１と電子透かし情報４の第１のブロック４１が重なった場合と比較して、格子角度は同じで、格子ピッチを異ならせるように設定した。
【００６８】
例えば、図１１（ａ）に示した第１の単位領域５１の格子角度を０°、格子ピッチを１．０μｍとした場合、図１４（ａ）に示した第１の変換単位領域５７の格子角度を０°、格子ピッチを１．１μｍとする。同様に、図１１（ｂ）に示した第２の単位領域５２の格子角度を４５°、格子ピッチを１．０μｍとした場合、図１４（ｂ）に示した第２の変換単位領域５８の格子角度を４５°、格子ピッチを１．１μｍとする。また、図１１（ｃ）に示した第３の単位領域５３の格子角度を９０°、格子ピッチを１．０μｍとした場合、図１４（ｃ）に示した第３の変換単位領域５９の格子角度を９０°、格子ピッチを１．１μｍとする。
【００６９】
格子角度は同じで、格子ピッチを異ならせるように設定した場合、再生時に、図１３（ａ）に示した電子透かし情報５を隠し込んだ回折格子記録媒体５に所定の波長の照明を当てると、図１３（ｂ）に示すように、電子透かし情報４が読み取り可能となる。
【００７０】
なお、格子角度と格子ピッチの両方を異なるように設定してもよい。この場合には、再生時に、図１３（ａ）に示した電子透かし情報４を隠し込んだ回折格子記録媒体５に所定の角度から所定の波長の照明を当てると、図１３（ｂ）に示すように、電子透かし情報４が読み取り可能となる。
【００７１】
このように、第２実施形態の回折格子記録媒体５によれば、簡単な構造で目視による記録情報の確認を不可能にすることができ、従来技術よりも偽造防止性がさらに高く、セキュリティ的にも信頼性がさらに高い回折格子記録媒体５を提供することが可能となる。また、単位領域と変換単位領域は、それぞれ格子角度が異なるという簡単な構成で、回折格子図柄１の中に違和感を与えないで電子透かし情報２を隠し込み、回折格子記録媒体５を作製することが可能となる。さらに、単位領域と変換単位領域は、それぞれ格子ピッチが異なるという簡単な構成で、回折格子記録媒体５を作製することが可能となる。
【００７２】
また、第１のブロック４１及び第２のブロック４２は、回折格子図柄１の各単位セル１１ａ，１１ｂ，１１ｃの１〜３倍の大きさなので、解像度が高くなり、回折格子図柄１の各単位セル１１ａ，１１ｂ，１１ｃのほとんどすべてに対して、格子角度及び格子ピッチをあわせなくては同等の機能を持つことができないので、偽造がさらに困難となり、従来技術よりも偽造防止性がさらに高く、セキュリティ的にも信頼性がさらに高い回折格子記録媒体５を提供することが可能となる。特に、第１のブロック４１及び第２のブロック４２が、それぞれ一つの単位セル１１ａ，１１ｂ，１１ｃに対応する場合が好ましい。
【００７３】
次に、第３実施形態について説明する。
【００７４】
図１５は、第３実施形態の回折格子図柄１の一部を拡大した図である。
【００７５】
第３実施形態の回折格子図柄６は、コンピュータ上で電子情報として作製される図柄であって、第１の図柄部分６１と、第２の図柄部分６２とを有する。第１の図柄部分６１と、第２の図柄部分６２とは、それぞれ異なる格子角度を有する。例えば、第１の図柄部分６１の単位セルは、格子ピッチ１．０μｍ、格子角度０°で形成されている。また、第２の図柄部分６２の単位セルは、格子ピッチ１．０μｍ、格子角度９０°で形成されている。
【００７６】
図１６は、第３実施形態の電子透かし情報７の一部を拡大した図である。図１６（ａ）は、第１の電子透かし情報７ａの一部を拡大した図、図１６（ｂ）は、第２の電子透かし情報７ｂの一部を拡大した図である。
【００７７】
第３実施形態では、第１の電子透かし情報７ａ及び第２の電子透かし情報７ｂの２つの機械読み取り情報としての電子透かし情報７を有する。
【００７８】
第１の機械読み取り情報としての第１の電子透かし情報７ａは、図１６に示した回折格子図柄１の各セルの１〜３倍の大きさを有する第１のブロック７ａ１及び第２のブロック７ａ２を１つの単位として、第１のブロック７ａ１及び第２のブロック７ａ２をランダムに散りばめたコンピュータ等で作製する電子情報である。この実施例では、図１５に示した回折格子図柄６の各セルと、第１のブロック７ａ１及び第２のブロック７ａ２の１つの単位を同じ大きさとした。
【００７９】
また、第２の機械読み取り情報としての第２の電子透かし情報７ｂは、図１６に示した回折格子図柄１の各セルの１〜３倍の大きさを有する第３のブロック７ｂ１及び第４のブロック７ｂ２を１つの単位として、第３のブロック７ｂ１及び第４のブロック７ｂ２をランダムに散りばめたコンピュータ等で作製する電子情報である。この実施例では、図１５に示した回折格子図柄１の各セルと、第３のブロック７ｂ１及び第４のブロック７ｂ２の１つの単位を同じ大きさとした。
【００８０】
図１７は、第３実施形態の電子透かし情報７を重ねた合成電子透かし情報８の一部を拡大した図である。
【００８１】
第３実施形態では、電子透かし情報７を構成する第１の電子透かし情報７ａ及び第２の電子透かし情報７ｂをデータ上で重ねて、合成機械読み取り情報としての合成電子透かし情報８を作製する。図１６（ａ）に示した第１の電子透かし情報７ａの第１のブロック７ａ１と図６（ｂ）に示した第２の電子透かし情報７ｂの第３のブロック７ｂ１とが重なった部分を第１の合成ブロック８１とする。また、図１６（ａ）に示した第１の電子透かし情報７ａの第１のブロック７ａ１と図６（ｂ）に示した第２の電子透かし情報７ｂの第４のブロック７ｂ２とが重なった部分を第２の合成ブロック８２とする。さらに、図１６（ａ）に示した第１の電子透かし情報７ａの第２のブロック７ａ２と図６（ｂ）に示した第２の電子透かし情報７ｂの第３のブロック７ｂ１とが重なった部分を第３の合成ブロック８３とする。また、図１６（ａ）に示した第１の電子透かし情報７ａの第２のブロック７ａ２と図６（ｂ）に示した第２の電子透かし情報７ｂの第４のブロック７ｂ２とが重なった部分を第４の合成ブロック８４とする。
【００８２】
図１８は、回折格子図柄１に合成電子透かし情報８を隠し込んだ第３実施形態の回折格子記録媒体９のデータの一部を拡大した図である。
【００８３】
回折格子記録媒体９のデータは、図１５に示した回折格子図柄６の第１の図柄部分６１と図１７に示した合成電子透かし情報８の第１の合成ブロック８１が重なっている第１の単位領域９１と、回折格子図柄６の第２の図柄部分６２と合成電子透かし情報８の第１の合成ブロック８１が重なっている第２の単位領域９２と、回折格子図柄６の第１の図柄部分６１と合成電子透かし情報８の第２の合成ブロック８２が重なっている第３の単位領域９３と、回折格子図柄６の第２の図柄部分６２と合成電子透かし情報８の第２の合成ブロック８２が重なっている第４の単位領域９４と、を有する。
【００８４】
また、回折格子図柄６の第１の図柄部分６１と合成電子透かし情報８の第３の合成ブロック８３が重なっている第５の単位領域９５と、回折格子図柄６の第２の図柄部分６２と合成電子透かし情報８の第３の合成ブロック８３が重なっている第６の単位領域９６と、回折格子図柄６の第１の図柄部分６１と合成電子透かし情報８の第４の合成ブロック８４が重なっている第７の単位領域９７と、回折格子図柄６の第２の図柄部分６２と合成電子透かし情報８の第４の合成ブロック８４が重なっている第８の単位領域９８と、を有する。
【００８５】
この実施例では、図１５に示した回折格子図柄６の第１の図柄部分６１の１つの単位セル及び第２の図柄部分６２の１つの単位セルのそれぞれに対して、図１７に示した合成電子透かし情報８の各ブロック８１，８２，８３，８４のそれぞれ１つの単位領域は、同じ大きさとなっている。
【００８６】
なお、この実施例では、第３の単位領域９３及び第４の単位領域９４は、第１の単位領域９１及び第２の単位領域９２と比較して、格子ピッチは同じで、格子角度を異ならせるように設定した。
【００８７】
例えば、第１の単位領域９１の格子角度を０°、格子ピッチを１．０μｍとした場合、第３の単位領域９３の格子角度を５°、格子ピッチを１．０μｍとする。同様に、第２の単位領域９２の格子角度を９０°、格子ピッチを１．０μｍとした場合、第４の単位領域９４の格子角度を９５°、格子ピッチを１．０μｍとする。
【００８８】
また、第５の単位領域９５及び第６の単位領域９６は、第１の単位領域９１及び第２の単位領域９２と比較して、格子角度は同じで、格子ピッチを異ならせるように設定した。
【００８９】
例えば、第１の単位領域９１の格子角度を０°、格子ピッチを１．０μｍとした場合、第５の単位領域９５の格子角度を０°、格子ピッチを１．１μｍとする。同様に、第２の単位領域９２の格子角度を９０°、格子ピッチを１．０μｍとした場合、第６の単位領域９６の格子角度を９０°、格子ピッチを１．１μｍとする。
【００９０】
さらに、第７の単位領域９７及び第８の単位領域９８は、第１の単位領域９１及び第２の単位領域９２と比較して、格子角度及び格子ピッチを異ならせるように設定した。
【００９１】
例えば、第１の単位領域９１の格子角度を０°、格子ピッチを１．０μｍとした場合、第７の単位領域９７の格子角度を５°、格子ピッチを１．１μｍとする。同様に、第２の単位領域９２の格子角度を９０°、格子ピッチを１．０μｍとした場合、第８の単位領域９８の格子角度を９５°、格子ピッチを１．１μｍとする。
【００９２】
回折格子記録媒体９は、図１５〜図１８に示したように、コンピュータ等で回折格子図柄６に電子透かし情報７を隠し込んだデータを演算し、該データを元に作製されるホログラム等である。
【００９３】
ここで、回折格子記録媒体９に凹凸レリーフ構造の回折格子をエンボスするための回折格子原版の作製方法は、第１実施形態と同様である。
【００９４】
図１９は、第３実施形態の回折格子記録媒体９の読み取り方法を示した図である。図１９（ａ）は合成電子透かし情報８を隠し込んだ回折格子記録媒体９を示す図、図１９（ｂ）は回折格子記録媒体９に所定の第１の照明をあてた状態を示す図、図１９（ｃ）は第１の電子透かし情報７ａを読み取り変換させた図、図１９（ｄ）は回折格子記録媒体９に所定の第２の照明をあてた状態を示す図、図１９（ｅ）は第２の電子透かし情報７ｂを読み取り変換させた図である。
【００９５】
図１９（ａ）に示したように、合成電子透かし情報８を隠し込んだ回折格子記録媒体９は、目視では、図柄のみが見えている。図１９（ａ）に示した合成電子透かし情報８を隠し込んだ回折格子記録媒体９に所定の角度から第１の照明を当てると、図１９（ｂ）に示すように、図１６に示した電子透かし情報７ａが読み取り可能となる。この電子透かし情報７ａを顕微鏡等で拡大して第１の専用の読み取り機械で読み取り、データ変換することにより、図１９（ｃ）に示すように、隠し込んだ情報を得ることが可能となる。
【００９６】
また、図１９（ａ）に示した電子透かし情報８を隠し込んだ回折格子記録媒体９に所定の角度から第２の照明を当てると、図１９（ｄ）に示すように、電子透かし情報８が読み取り可能となる。この電子透かし情報８を顕微鏡等で拡大して第２の専用の読み取り機械で読み取り、データ変換することにより、図１９（ｅ）に示すように、隠し込んだ情報を得ることが可能となる。
【００９７】
このように、第３実施形態の回折格子記録媒体９によれば、簡単な構造で目視による記録情報の確認を不可能にすることができ、回折格子図柄１の中に違和感を与えないで複数の電子透かし情報７ａ、７ｂを隠し込み、偽造防止性が特に高く、セキュリティ的に信頼性が特に高い回折格子記録媒体５を提供することが可能となる。
【００９８】
また、第１のブロック４１及び第２のブロック４２は、回折格子図柄１の各単位セル１１ａ，１１ｂ，１１ｃの１〜３倍の大きさなので、解像度が高くなり、回折格子図柄１の各単位セル１１ａ，１１ｂ，１１ｃのほとんどすべてに対して、格子角度及び格子ピッチをあわせなくては同等の機能を持つことができないので、偽造がさらに困難となり、従来技術よりも偽造防止性がさらに高く、セキュリティ的にも信頼性がさらに高い回折格子記録媒体５を提供することが可能となる。特に、第１のブロック４１及び第２のブロック４２が、それぞれ一つの単位セル１１ａ，１１ｂ，１１ｃに対応する場合が好ましい。
【００９９】
次に、第１実施形態〜第３実施形態の回折格子記録媒体３，５，９の使用方法について説明する。
【０１００】
通常、印刷物等に貼着して用いる回折格子記録媒体３，５，９としては、凹凸のレリーフ構造の回折格子のレリーフ面あるいは平面に蒸着等で金属反射膜を設けて反射型とした回折格子が用いられるが、それ以外に、振幅が周期的に変化する振幅型回折格子を構成するもの又は屈折率が周期的に変化して位相型回折格子を構成するものの裏面に金属反射膜を設けて反射型とした回折格子、体積型感光材料中に干渉縞で回折格子を構成した体積型回折格子等を用いてもよい。
【０１０１】
もちろん、反射型でなく透過型のもので構成し、回折格子も透過型の回折格子で構成してもよい。
【０１０２】
さて、回折格子記録媒体３，５，９は、転写箔、ラベル、フィルム等種々の形態に構成することができる。転写箔形態の場合には、例えば商品券、クレジットカード、パッケージ等に適用でき、ラベル形態の場合には、例えばソフトウエア、カートリッジ、医薬品等のパッケージ等に適用でき、フィルム形態の場合には、例えばそのフィルムを１〜２ｍｍ程度の幅にマイクロスリットし、用紙の抄造時に紙中に共に抄き込んで偽造防止を図ることができる。また、ラベル形態の場合には、脆質層を層構成中に介在させて、偽造のためにラベルを剥離しようとしたときにその脆質層から剥がれるようにして偽造のために表示体を剥がすことを困難にすることができる（脆質ラベル）。以下、本発明の光回折構造による隠しパターンを内包する表示体を、転写箔、ラベル、脆質ラベル、フィルムの各形態に構成する場合の、層構成とその作製工程は、特許文献３等に記載されたものと同様である。
【０１０３】
なお、電子透かし情報として記録する情報は、バーコード等、専用の機械で読み取れるものであればよい。
【０１０４】
以上、回折格子記録媒体をいくつかの実施例に基づいて説明してきたが、本発明はこれら実施例に限定されず種々の変形が可能である。
【符号の説明】
【０１０５】
１，６…回折格子図柄
２，４…電子透かし情報
１１，６１…第１の図柄部分
１１ａ…第１の単位セル
１２，６２…第２の図柄部分
１２ａ…第２の単位セル
１３，６３…第３の図柄部分
１３ａ…第３の単位セル
２１，４１…第１のブロック
２２，４２…第２のブロック
３，５…回折格子記録媒体
３１…第１の記録部分
３１ａ，５１…第１の単位領域
３１ｂ，５２…第２の単位領域
３１ｃ，５３…第３の単位領域
３２…第２の記録部分
３２ａ，５４…第１の変換単位領域
３２ｂ，５５…第２の変換単位領域
３２ｃ，５６…第３の変換単位領域
７…電子透かし情報
７ａ…第１の電子透かし情報
７ａ１…第１のブロック
７ａ２…第２のブロック
７ｂ…第２の電子透かし情報
７ｂ１…第３のブロック
７ｂ２…第４のブロック
８…合成電子透かし情報
８１…第１の合成ブロック
８２…第２の合成ブロック
８３…第３の合成ブロック
８４…第４の合成ブロック
９…回折格子記録媒体
９１…第１の単位領域
９２…第２の単位領域
９３…第３の単位領域
９４…第４の単位領域
９５…第５の単位領域
９６…第６の単位領域
９７…第７の単位領域
９８…第８の単位領域
【図１】
0005780384.tif 000002
【図２】
0005780384.tif 000003
【図３】
0005780384.tif 000004
【図４】
0005780384.tif 000005
【図５】
0005780384.tif 000006
【図６】
0005780384.tif 000007
【図７】
0005780384.tif 000008
【図８】
0005780384.tif 000009
【図９】
0005780384.tif 000010
【図１０】
0005780384.tif 000011
【図１１】
0005780384.tif 000012
【図１２】
0005780384.tif 000013
【図１３】
0005780384.tif 000014
【図１４】
0005780384.tif 000015
【図１５】
0005780384.tif 000016
【図１６】
0005780384.tif 000017
【図１７】
0005780384.tif 000018
【図１８】
0005780384.tif 000019
【図１９】
0005780384.tif 000020